(57)【要約】【課題】薬液処理の際に隙間が生じ検体が流出するのを防止し、カセットの薬液浸漬時の浮力を軽減し、更に、薬液透過性及び薬液処理の均一性に優れた医療検査用カセットを提供する。【解決手段】耐薬品性材料からなるカセット本体と蓋とを具備してなり、カセット本体２は多数の透孔５を備えるとともに上向きに開口する検体収容部２ａを少なくとも１個有し、蓋は多数の透孔５を備えるとともに下向きに開口する膨出部３ａを少なくとも１個有し、検体収容部２ａ側の開口部と膨出部３ａ側の開口部のいずれか一方側に内嵌側壁４ｅが周設されるとともに、他方側に外嵌側壁４ｆが周設され、内嵌側壁４ｅ及び外嵌側壁４ｆは双方ともカセット本体の底面部４ａ及び蓋の頂面部４ｃに対して略垂直であり、閉蓋時には内嵌側壁４ｅ及び外嵌側壁４ｆの嵌合部と、蓋の膨出部３ａと、カセット本体の検体収容部２ａとからなる、独立した空間部４が形成されることを特徴とする医療検査用カセットである。【選択図】図２
2011185898.tif 000002
【特許請求の範囲】
【請求項１】
耐薬品性材料からなるカセット本体と蓋とを具備してなり、
カセット本体は上向きに開口する検体収容部を少なくとも１個有し、該検体収容部は多数の透孔を備えた底面部及び側壁下部からなり、側壁下部は前記底面部から開口側に向けて広がる弧状もしくはテーパ状であり、
蓋は下向きに開口する膨出部を少なくとも１個有し、該膨出部は多数の透孔を備えた頂面部及び側壁上部からなり、該側壁上部は頂面部から開口側に向けて広がる弧状もしくはテーパ状であり、
検体収容部側の開口部と膨出部側の開口部のいずれか一方側に内嵌側壁が周設されるとともに、他方側に外嵌側壁が周設され、内嵌側壁及び外嵌側壁は双方ともカセット本体の底面部及び蓋の頂面部に対して略垂直であり、
閉蓋時には内嵌側壁及び外嵌側壁の嵌合側壁部と、蓋の膨出部と、カセット本体の検体収容部とからなる、独立した空間部が形成されることを特徴とする医療検査用カセット。
【請求項２】
閉蓋時における内嵌側壁と外嵌側壁の重複部分の長さは、空間部の高さの１／４乃至１／２であることを特徴とする請求項１に記載の医療検査用カセット。
【請求項３】
カセット本体の外枠と検体収容部の間、及び蓋の外枠と膨出部の間にそれぞれ支持板部が設けられており、当該支持板部にはそれぞれ貫通孔が穿設されているとともに、カセット本体に蓋を取り付けた際にはカセット本体の貫通孔及び蓋の貫通孔が対接して連通状態となることを特徴とする請求項１又は２に記載の医療検査用カセット。
【請求項４】
蓋の外枠上面に間隔保持用の突起が突設されるとともに、膨出部上面に複数個の突条が直交方向に延設されることを特徴とする請求項１乃至３のいずれかに記載の医療検査用カセット。
【発明の詳細な説明】
【技術分野】
【０００１】
本発明は、医療検査用顕微鏡標本の作製に使用する医療検査用カセットに関し、更に詳しくは、薬液処理時に隙間から検体が流出することがなく、薬液の透過性に優れるとともに、検体を均一に薬液処理できる医療検査用カセットに関する。
【背景技術】
【０００２】
従来のこの種のカセットは、図９および図１０に示すように、耐薬品性合成樹脂からなるカセット本体Ｃ１と蓋Ｃ２とを具備してなる。カセット本体Ｃ１は、上面を開放した方形の容器で、底面部に多数の透孔Ｃ４を有し、短辺側の一側壁の外側に底面部に向かって末広がり状に傾斜した板状の記録部Ｃ１ｂを設けている。蓋Ｃ２は、着脱可能な板状体で、板面に多数の透孔Ｃ４を有している。
【０００３】
上記カセットＣを使用して顕微鏡標本を作製するには、まず、図１０に示すように、採取した検体Ｓをカセット本体Ｃ１内に収容して蓋Ｃ２を取り付け、記録部Ｃ１ｂに被検者の氏名等を記録しておく。
【０００４】
続いて、透孔Ｃ４を通じて、検体Ｓを水洗し、アルコールにより検体Ｓの水分を除去し、キシレンにより後述する液状パラフィンＰとの親和性を付与する。
【０００５】
次に、図８に示すようなステンレス製の包埋トレイＴ内に液状パラフィンＰを入れ、検体Ｓをカセット本体Ｃ１から取り出して液状パラフィンＰ中に置いて検体Ｓに液状パラフィンを浸透させる。続いて、トレイＴの段部にカセット本体Ｃ１を載せ、カセット本体Ｃ１の底面部が液状パラフィンＰに浸るまで、液状パラフィンＰを検体Ｓ上に注ぎ足す（図１１参照）。
【０００６】
液状パラフィンＰが固化した後トレイＴを取り去ることにより、検体Ｓを包埋したパラフィンＰがカセット本体Ｃ１の底面部に付着してなるカセットブロックを得る。
【０００７】
次に、図示しないが、ミクロトーム上にカセットブロックを裏返して載せて固定する。続いて、パラフィンＰの検体Ｓを包埋した部分をスライスし、得られた薄片に染色、その他の所定の処理を施すことにより顕微鏡標本を得るのである。
【０００８】
しかし乍ら、上記形状のカセットＣにおいて、透孔Ｃ４はカセット本体Ｃ１の底面部及び蓋Ｃ２のみに設けられ、側壁には設けられていないため、薬液の透過性が必ずしも十分でなく、その結果、薬液処理の効率が不十分で、またカセットを薬液中に浸漬させて処理する場合には、カセット中の空気が逃げ難いため、浮力が大きく、容易に浸漬できず、その結果、薬剤処理の効率が悪いという問題がある。
【０００９】
また、上記カセットは検体収容部が１個の場合を示したが、カセット本体Ｃ１の内部が壁により区画され複数個の検体収容部を有する場合においては、検体収容部の数が増加すればする程、透孔を設けていない壁の面積が増加するため上記現象は一層深刻なものとなる。
【００１０】
このような欠点を解消するため、図１２に示したような、カセット本体Ｃ１に設けた検体収容部Ｃ１ａと蓋Ｃ２に設けた膨出部Ｃ２ａを対接させて独立した空間部が形成されるカセットであって、検体収容部Ｃ１ａは底面部から開口部に向けて広がる弧状もしくはテーパ状の側壁部を有し、膨出部Ｃ２ａは上部から開口部に向けて広がる弧状もしくはテーパ状の側壁部を有し、底面、側壁部、上部はそれぞれ多数の透孔を備えている医療検査用カセットが提案されている（特許文献１及び２参照）。
【００１１】
しかしながら、このようなカセットでは、自動包埋装置等により薬液に圧力をかけて検体Ｓを処理する場合に、検体Ｓが検体収容部から流出してしまうという不都合が生じる場合がある。即ち、図１３に示すように、空間部を形成するためのカセット本体Ｃ１の検体収容部Ｃ１ａと蓋Ｃ２の膨出部Ｃ２ａとがそれぞれ開口側に向けて広がるテーパー状の凹部Ｃ１ｔと同じくテーパー状の凸部Ｃ２ｔとが対接嵌合する構造からなるため、圧力をかけて透孔から空間部内に薬液を流入させ空間部Ｃ３内の圧力が高くなった際には、蓋Ｃ２がカセット本体Ｃ１から浮き上がり、この結果、検体収容部Ｃ１ａと膨出部Ｃ２ａの間に隙間Ｏが出来てしまい、ここから検体Ｓが流出し、甚だしき場合はカセットＣの外に漏出して貴重な検体Ｓを紛失したり、台無しにしてしまう場合がある。このような事故は、薬液処理の液圧を下げたり、手動で処理をすれば防ぐことが出来るが、この場合には処理効率が低下して一度に大量の検体を効率的に処理することが出来なくなる。
【００１２】
また、上記カセットでは、検体収容部と検体収容部との間の中央部に透孔が設けられているため透孔が検体収容部に近接し、その結果、ピンセットで検体を検体収容部に収容する際に誤って該透孔から落下させる虞れがある。
【先行技術文献】
【特許文献】
【００１３】
【特許文献１】特開平８−２８５７４５号公報
【特許文献２】特開２００１−２８９７５５号公報
【発明の概要】
【発明が解決しようとする課題】
【００１４】
本発明は、上記の如き問題を解消し、薬液処理時に検体が隙間から流出したり、カセットから落下したりすることがなく、薬液中への浸漬が容易で、更に、薬液の透過性及び薬液処理の均一性に優れた医療検査用カセットを提供するものである。
【課題を解決するための手段】
【００１５】
上記目的を達成するための本発明の請求項１は、耐薬品性材料からなるカセット本体と蓋とを具備してなり、カセット本体は上向きに開口する検体収容部を少なくとも１個有し、該検体収容部は多数の透孔を備えた底面部及び側壁下部からなり、側壁下部は前記底面部から開口側に向けて広がる弧状もしくはテーパ状であり、蓋は下向きに開口する膨出部を少なくとも１個有し、該膨出部は多数の透孔を備えた頂面部及び側壁上部からなり、該側壁上部は頂面部から開口側に向けて広がる弧状もしくはテーパ状であり、検体収容部側の開口部と膨出部側の開口部のいずれか一方側に内嵌側壁が周設されるとともに、他方側に外嵌側壁が周設され、内嵌側壁及び外嵌側壁は双方ともカセット本体の底面部及び蓋の頂面部に対して略垂直であり、閉蓋時には内嵌側壁及び外嵌側壁の嵌合側壁部と、蓋の膨出部と、カセット本体の検体収容部とからなる、独立した空間部が形成されることを特徴とする医療検査用カセットを内容とする。
【００１６】
本発明の請求項２は、閉蓋時における内嵌側壁と外嵌側壁の重複部分の長さは、空間部の高さの１／４乃至１／２であることを特徴とする請求項１に記載の医療検査用カセットを内容とする。
【００１７】
本発明の請求項３は、カセット本体の外枠と検体収容部の間、及び蓋の外枠と膨出部の間にそれぞれ支持板部が設けられており、当該支持板部にはそれぞれ貫通孔が穿設されているとともに、カセット本体に蓋を取り付けた際にはカセット本体の貫通孔及び蓋の貫通孔が対接して連通状態となることを特徴とする請求項１又は２に記載の医療検査用カセットを内容とする。
【００１８】
本発明の請求項４は、蓋の外枠上面に間隔保持用の突起が突設されるとともに、膨出部上面に複数個の突条が直交方向に延設されることを特徴とする請求項１乃至３のいずれかに記載の医療検査用カセットを内容とする。
【発明の効果】
【００１９】
本発明の医療検査用カセットは、蓋の膨出部の頂面部と側壁上部、及びカセット本体の検体収容部の底面部と側壁下部に透孔を設けたので、薬液の透過性が良好で、薬液処理を効果的に行うことができる。また、嵌合側壁部において内嵌側壁と外嵌側壁の両方がカセット本体の底面部及び蓋の頂面部に対して略垂直であるから、自動包埋装置等により圧力をかけて透孔から空間部内に薬液を流入させる際、蓋が少々浮き上がったとしても検体が流れ出るような隙間が生じないので、貴重な検体を紛失したり台無しにするようなことがない。
【００２０】
閉蓋時における内嵌側壁と外嵌側壁の重複部分の長さを空間部の高さの１／４以上とすれば、自動包埋装置等で用いられる通常の圧力では検体が流出するような隙間を生じることがない。また、重複部分の長さを空間部の高さの１／２以下とすれば、側壁上部及び側壁下部を十分大きくすることができ、その分透孔も多く設けることができるので空間部内への薬液透過性が十分確保される。
【００２１】
カセット本体及び蓋に互いに連通する貫通孔を設けることにより、カセット本体の下方に滞留する空気がこの貫通孔を介して排出されるので浮力が軽減され、カセットを薬液中に浸漬しやすくなり、薬液処理の作業が効率的に行われる。
また、この貫通孔をカセット本体の外枠と検体収容部の間、及び蓋の外枠と膨出部の間の支持板部に穿設することにより、貫通孔はカセット本体中心部の検体収容部から離れているので、検体を検体収容部に収容する際に誤って貫通孔から落下するような事故を防ぐことができる。
【００２２】
蓋の外枠上面に間隔保持用の突起を突設することにより、積み重ねたカセットの隙間から薬液を流入させることができ、また、蓋の膨出部上面に直交方向に延設された複数個の突条を設けることにより、カセットの隙間に流入した薬液を効率よく空間部内に導入することができる。
【図面の簡単な説明】
【００２３】
【図１】図１は本発明のカセットの実施例１を示す平面図である。
【図２】図２は図１のＡ−Ａ断面図である。
【図３】図３は図１のＢ−Ｂ断面図である。
【図４】図４は図２における一つの空間部を拡大した部分拡大断面図である。
【図５】図５は蓋が浮いた状態を示す部分拡大断面図である。
【図６】図６は本発明のカセットの実施例２を示し、（ａ）は平面図、（ｂ）はＣ−Ｃ断面図である。
【図７】図７（ａ）は実施例２における一つの膨出部を拡大した部分拡大平面図であり、図７（ｂ）は（ａ）における突条の別の配置例を示す。
【図８】図８は包埋トレイの斜視図である。
【図９】図９は従来のカセットを示す斜視図である。
【図１０】図１０は従来のカセットに検体を入れた状態を示す断面図である。
【図１１】図１１はカセットブロックの作成方法を示す断面図である。
【図１２】図１２は従来の別のカセットを示す断面図である。
【図１３】図１３は図１２のカセットの蓋が浮いた状態を示す部分拡大断面図である。
【発明を実施するための形態】
【００２４】
本発明は、耐薬品性材料からなるカセット本体と蓋とを具備してなる医療検査用カセットであって、図１乃至図４に示すとおり、カセット本体２は上向きに開口する検体収容部２ａを少なくとも１個有し、該検体収容部２ａは多数の透孔５を備えた底面部４ａ及び側壁下部４ｂからなり、側壁下部４ｂは前記底面部４ａから開口側に向けて広がる弧状もしくはテーパ状であり、
蓋は下向きに開口する膨出部３ａを少なくとも１個有し、該膨出部３ａは多数の透孔５を備えた頂面部４ｃ及び側壁上部４ｄからなり、該側壁上部４ｄは頂面部４ｃから開口側に向けて広がる弧状もしくはテーパ状であり、
検体収容部２ａ側の開口部と膨出部３ａ側の開口部のいずれか一方側に内嵌側壁４ｅが周設されるとともに、他方側に外嵌側壁４ｆが周設され、内嵌側壁４ｅ及び外嵌側壁４ｆは双方ともカセット本体２の底面部４ａ及び蓋３の頂面部４ｃに対して略垂直であり、
閉蓋時には内嵌側壁４ｅ及び外嵌側壁４ｆの嵌合側壁部と、蓋の膨出部３ａと、カセット本体の検体収容部２ａとからなる、独立した空間部４が形成されることを特徴とする。
【００２５】
本発明の医療検査用カセットにおいて、カセット本体２及び蓋３は、いずれも耐薬品性の合成樹脂からなる。本発明で使用できる合成樹脂の例としては、ポリアセタール樹脂、フッ素樹脂、ポリカーボネート樹脂、ポリアミド（ナイロン）樹脂、ポリエステル樹脂等が挙げられる。
【００２６】
本発明において、カセット本体２は上向きに開口する検体収容部２ａを少なくとも１個（図示した例では６個）有する。具体的な個数は特に限定されないが、９個よりも多くなると、検体収容部のサイズが小さくなり過ぎ、収容する検体のサイズが限定されるとともに、ピンセットでの作業性等が低下するので、２〜９個程度が好ましい。
【００２７】
本発明において検体収容部２ａは、多数の透孔５を備えた底面部４ａ、側壁下部４ｂ及び外嵌側壁４ｆからなり、側壁下部４ｂは前記底面部４ａから開口側に向けて広がる弧状もしくはテーパ状とされている。透孔５の大きさや形状については特に限定されないが、透孔５から検体Ｓが流出しない範囲で大きいほうが、薬液の透過性が高まるので好ましい。透孔の数も特に限定されないが、側壁下部４ｂ及び底面部４ａの強度が弱くなりすぎない範囲で多いほうが好ましい。
【００２８】
側壁下部４ｂの形状については、前記底面部４ａから開口側に向けて広がる弧状もしくはテーパ状（図示した例ではテーパ状）とされているので、例え処理すべき検体が小さくても、ピンセット等で容易につまみ出すことができる。なお、本発明において側壁下部４ｂと底面部４ａは明確に区別される必要はなく、例えば、底面部４ａと側壁下部４ｂを合わせて、断面視で円弧状、楕円弧状、半球状、皿状等とされていてもよい。
【００２９】
検体収容部２ａの開口部の形状は特に限定されず、円形、楕円形、矩形等のいずれでもよいが、多くの検体収容部２ａを配列でき、検体収容部２ａの内容積を大きくでき、且つ検体Ｓが小さくても扱いやすくなる形状として、角部をアール処理した矩形が望ましい（図示した例ではこの形状が採用されている）。
【００３０】
本発明において、蓋は下向きに開口する膨出部３ａを少なくとも１個有する。なお後述の通り、該膨出部３ａは前記検体収容部２ａと合わせて空間部４を形成させるためのものであるので、膨出部３ａの数、形状、大きさ等は検体収容部２ａの数、形状、大きさ等に応じて定める。
【００３１】
膨出部３ａは、多数の透孔５を備えた頂面部４ｃ及び側壁上部４ｄからなり、該側壁上部４ｄは頂面部４ｃから開口側に向けて広がる弧状もしくはテーパー状とされる。即ち、前記検体収容部２ａの形状を上下逆にしたものと同様であるが、蓋の膨出部３ａは、後述するように、空間部４の上面側の表面積を大きくして透孔５の数を増やし、薬液の透過性を改善することが目的であるから、検体を収容する検体収容部２ａに比べて浅い形状のものでよい。
【００３２】
本発明においては、図４に示したように、検体収容部２ａ側の開口部と膨出部３ａ側の開口部のいずれか一方側（図示した例では膨出部３ａ側）に内嵌側壁４ｅが周設されるとともに、他方側（図示した例では検体収容部２ａ側）に外嵌側壁４ｆが周設される。検体を薬液処理する際には、前記内嵌側壁４ｅと外嵌側壁４ｆを嵌合させて、当該嵌合側壁部と膨出部３ａと検体収容部２ａとからなる独立した空間部４を形成するように構成されている。
【００３３】
この空間部４において、内嵌側壁４ｅ及び外嵌側壁４ｆは双方ともカセット本体２の底面部４ａ及び蓋３の頂面部４ｃに対して略垂直とされているので、自動包埋装置等を用いて圧力をかけて薬液処理を施し、蓋３がカセット本体２から少々浮き上がった場合であっても、図５に示したように、蓋３とカセット本体２の間に隙間ができないので、検体の流出を確実に防ぐことができる。
【００３４】
嵌合側壁部の嵌合部、即ち閉蓋時における内嵌側壁４ｅと外嵌側壁４ｆの重複部分の長さは、側壁上部４ｄ及び側壁下部４ｂを十分大きくすることができ、且つ蓋が少々浮き上がった場合でも隙間が生じない程度であればよく、具体的には空間部の高さの１／４乃至１／２程度が好ましい。なお、閉蓋時における内嵌側壁４ｅと外嵌側壁４ｆの重複部分の長さを空間部４の高さの１／４以上とすれば、自動包埋装置等で用いられる通常の圧力では検体が流出する隙間ができるほど大きく蓋が浮き上がることがない。また、重複部分の長さを空間部の高さの１／２以下とすれば、側壁上部４ｄ及び側壁下部４ｂを十分大きくでき、また透孔５の数を十分多くすることができるので、空間部４内への薬液透過性が十分確保される。
【００３５】
本発明においては、必要に応じ、カセット本体２及び蓋３に貫通孔７を設けることができる。即ち、本発明の医療検査用カセット１の場合、カセット本体２の下方には空気が滞留し易く、その空気の浮力によりカセット１を薬液中に浸漬しにくくなるという欠点があるが、カセット本体２及び蓋３に貫通孔７を設ければ、この空気が排出されてカセットを薬液中に容易に浸漬できるようになる。ただし、この貫通孔７を機能させるためには、カセット本体２に蓋３を取り付けた際にカセット本体の貫通孔７及び蓋の貫通孔７が対接して連通状態となるように貫通孔７、７を配置する必要がある。
なお、ピンセットで検体Ｓを検体収容部２ａに収容する際、誤ってこの貫通孔７から検体Ｓを落下させる危険を防止するため、貫通孔を検体収容部２ａから十分距離を置いて貫通孔７を設けるほうが好ましい。
【００３６】
本発明においては、カセット本体の外枠２ｂと検体収容部２ａの間に、検体収容部２ａを支持するための支持板部６を設け（図３）、蓋の外枠３ｂと膨出部３ａの間に膨出部３ａを支持するための支持板部６を設けることができる（図１、図３）。支持板部６により、検体収容部２ａと外枠２ｂの間に十分なスペースを形成させることができ、前記貫通孔７を支持板部６に設けることにより、貫通孔７と検体収容部２ａとの距離が遠くなるので、貫通孔７を検体より大きくしてもこの貫通孔７から検体Ｓを落下する危険は小さくなる。この危険性は検体収容部２ａと貫通孔７の距離が大きいほど小さくなるので、貫通孔７を外枠２ｂ寄りに設けることにより、検体収容部２ａと貫通孔７の距離を大きくするのが好ましい。
また、支持板部６には、必要に応じ、検体Ｓや検体収容部２ａを識別するための文字、記号等を刻印したり、記載することができる。
【００３７】
本発明においては、図６に示したように、蓋３の外枠２ｂ上面に間隔保持用の突起３ｃを突設してもよい。このような突起３ｃを設けることにより、上下に積み重ねられたカセット間、又は、水平に並べられたカセット間に隙間が形成されるため、検体処理用の薬液は、上下又は左右のカセット１を通して流入するだけでなく、カセット１同士の間の隙間からも流入するので、検体Ｓの処理効率が上昇するとともに、薬液の透過が均一となるので検体が均一に処理される。
この場合、積み重ねたカセット１の隙間から流入した薬液は、そのままでは上下のカセット１の間を真っ直ぐ流れて透孔５の表面を素通りしやすく、別の隙間から流出してしまう場合があるので、膨出部３ａの上面に突条３ｄを設けて薬液の流れを変え、空間部４内に薬液が流入しやすくするとともに、薬液の流れを層流から乱流に変え薬液処理効果を高めるのが好ましい。また、薬液がどの方向から流入しても流れを変え、乱流となるように、直交方向に複数の突条３ｄを設けるほうが好ましい。
なお、図６に示した例では直交方向に設けられた２個の突条３ｄを組み合わせて十文字状とした例が示されている（図７（ａ）に膨出部３ａを拡大した図を示す。突条３ｄの部分を判別しやすくするためハッチングを施した）が、勿論、これに限られず、図７（ｂ）に示したように、２個の突条を別々に設けてもよい。
【産業上の利用可能性】
【００３８】
叙上のとおり、本発明の医療検査用カセットは、薬液処理時においても検体収容部に隙間が生じず、従って隙間から検体が流出することがなく、また、カセットの薬液浸漬時に浮力を軽減するための貫通孔を検体収容部から離隔して設けたので、検体を検体収容部に収容する際に誤って貫通孔から落下させるといったトラブルも防止される。
更に、蓋の外枠上面や膨出部に間隔保持用の突起を設けることにより、薬液の透過性に優れるとともに均一な薬液処理が行われ、更にまた、突起を直交するように設けることにより、薬液の透過性及び薬液処理の均一性を一層高めることができる。
【符号の説明】
【００３９】
１  医療検査用カセット
２  カセット本体
２ａ  検体収容部
２ｂ  カセット本体の外枠
３  蓋
３ａ  膨出部
３ｂ  蓋の外枠
３ｃ  間隔保持用の突起
３ｄ  突条
４  空間部
４ａ  底面部
４ｂ  側壁下部
４ｃ  頂面部
４ｄ  側壁上部
４ｅ  内嵌側壁
４ｆ  外嵌側壁
５  透孔
６  支持板部
７  貫通孔
Ｓ  検体
Ｃ  従来の医療検査用カセット
Ｃ１  カセット本体
Ｃ１ａ  検体収容部
Ｃ１ｂ  記録部
Ｃ１ｔ  テーパー状凹部
Ｃ２  蓋
Ｃ２ａ  膨出部
Ｃ２ｔ  テーパー状凸部
Ｃ３  空間部
Ｃ４  透孔
Ｔ  包埋トレイ
Ｐ  パラフィン
【図１】
2011185898.tif 000003
【図２】
2011185898.tif 000004
【図３】
2011185898.tif 000005
【図４】
2011185898.tif 000006
【図５】
2011185898.tif 000007
【図６】
2011185898.tif 000008
【図７】
2011185898.tif 000009
【図８】
2011185898.tif 000010
【図９】
2011185898.tif 000011
【図１０】
2011185898.tif 000012
【図１１】
2011185898.tif 000013
【図１２】
2011185898.tif 000014
【図１３】
2011185898.tif 000015